【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
光源により照明した原稿からの反射光を結像レンズにより撮像素子に結像させ、該原稿の画像を一次元に読み取り、これを走査することによって２次元の画像を読み取る画像処理装置であって、
少なくとも複数のレンズを有する照明レンズと、
複数の光束を重畳させる手段とを備えて成り、
上記光源から発する光束を複数に分割し、この分割された複数の光束を上記原稿面上に重畳させることを特徴とする画像処理装置。
【請求項２】
上記照明レンズと同数のレンズを有する集光レンズを、上記光源と照明レンズとの間に挿入して成り、
上記光源から発する光束を複数に分割して上記照明レンズに効率よく与えると共に、
上記照明レンズは、上記光源から発する光束を主走査方向に複数分割するように配置して成り、主走査方向に直交する方向には分割しないようにした
ことを特徴とする請求項１に記載の画像処理装置。
【請求項３】
上記光源が複数の光源から成り、
光束を分割する方向に複数の光源を配置し、
光束を分割する方向での光源の数と、光束を分割する数とを不一致としたものであると共に、
該光束を分割する方向に直交する方向には、上記複数の光源の光束の分布を補完するように更に光源を配置した
ことを特徴とする請求項１〜請求項３のいずれかに記載の画像処理装置。
【請求項４】
上記光源が複数の光源から成り、
上記それぞれの光源からの光束を略平行光とした後、上記照明レンズにより光束を複数に分割することを特徴とする請求項１〜請求項３のいずれかに記載の画像処理装置。
【請求項５】
主走査方向における照明対象面（コンタクトガラス）の中心と照明装置の中心を不一致としたことを特徴とする請求項１〜請求項４のいずれかに記載の画像処理装置。
【請求項６】
結像系（撮像系）の主光軸と照明装置の主光軸を、照明対象面と平行な面上において平行に配置したことを特徴とする請求項１〜請求項５のいずれかに記載の画像処理装置。
【請求項７】
上記光源により撮像領域を照明する照明光と該撮像領域から反射する画像光とを、同一の反射面によって折り返すことを特徴とする請求項１〜請求項６のいずれかに記載の画像処理装置。
【請求項８】
第１走行体に少なくとも一つの折り返し反射面を備え、第２走行体に少なくとも二つの折り返し反射面を備えて成り、上記撮像領域を照明する照明光と該撮像領域から反射する画像光とを、同一の上記反射面によって折り返すことを特徴とする請求項７に記載の画像処理装置。
【請求項９】
光源により照明した原稿からの反射光を結像レンズにより撮像素子に結像させ、該原稿の画像を一次元に読み取り、これを走査することによって２次元の画像を読み取る画像処理方法において、
上記光源から発する光束を複数に分割し、この分割された複数の光束を上記原稿面上に重畳させることを特徴とする画像処理方法。
【請求項１０】
光源から放出された光を対象に照明する照明装置において、
少なくとも一つの面内において、光源から放出された光から複数の光束を取得し、該複数の光束を該対象に照明する少なくとも一つの光束照明素子を含むと共に、
少なくとも一つの面内において、前記複数の光束を前記対象において重畳させる少なくとも一つの光束重畳素子をさらに含む
ことを特徴とする照明装置。
【請求項１１】
第一の面内において前記複数の光束を前記対象において重畳させると共に該第一の面と異なる第二の面内において前記複数の光束を前記対象において集束させる少なくとも一つの光学素子をさらに含むことを特徴とする請求項１０に記載の照明装置。
【請求項１２】
前記少なくとも一つの面は、第一の面及び該第一の面と異なる第二の面を含み、
前記少なくとも一つの光束照明素子は、該第一の面内で光源から放出された光から複数の第一の光束を取得し、該複数の第一の光束を前記対象に照明する第一の光束照明素子、及び、該第二の面内で光源から放出された光から複数の第二の光束を取得し、該複数の第二の光束を前記対象に照明する第二の光束照明素子を含むことを特徴とする請求項１０に記載の照明装置。
【請求項１３】
少なくとも一つの面内において、前記光源から放出された光を前記複数の光束に分割する少なくとも一つの光束分割素子をさらに含むと共に、
前記光束分割素子及び前記光束照明素子の間の間隔は、前記光束分割素子の焦点距離及び前記光束照明素子の焦点距離よりも長い
ことを特徴とする請求項１０乃至１２のいずれか一項に記載の照明装置。
【請求項１４】
前記光源は、第一の波長領域に含まれる波長を備えた光を放出する第一の光源及び第二の波長領域に含まれる波長を備えた光を放出する第二の光源を含み、
前記第一の光源及び前記第二の光源は、少なくとも一つの面内において、前記対象における前記第一の波長領域に含まれる波長を備えた光の照度のピーク位置が、前記対象における前記第二の波長領域に含まれる波長を備えた光の照度のピーク位置と異なるように、配置されることを特徴とする請求項１０乃至１３のいずれか一項に記載の照明装置。
【請求項１５】
少なくとも一つの面内において、前記光源から放出された光を、該光の波長に対して分散させる波長分散素子をさらに含むことを特徴とする請求項１０乃至１４のいずれか一項に記載の照明装置。
【請求項１６】
前記光源から放出された光の少なくとも一部を吸収する吸収体又は前記光源から放出された光の少なくとも一部を散乱させる散乱体をさらに含むことを特徴とする請求項１０乃至１５のいずれか一項に記載の照明装置。
【請求項１７】
光源から放出された光を対象に照明する照明方法において、
少なくとも一つの面内において、光源から放出された光から複数の光束を取得し、該複数の光束を該対象に照明することを含むと共に、
少なくとも一つの面内において、前記複数の光束を前記対象において重畳させることをさらに含む
ことを特徴とする照明方法。
【請求項１８】
第一の面内において前記複数の光束を前記対象において重畳させると共に該第一の面と異なる第二の面内において前記複数の光束を前記対象において集束させることをさらに含むことを特徴とする請求項１７に記載の照明方法。
【請求項１９】
前記少なくとも一つの面内において、光源から放出された光から複数の光束を取得し、該複数の光束を該対象に照明することは、第一の面内で光源から放出された光から複数の第一の光束を取得し、該複数の第一の光束を前記対象に照明すること、及び、該第一の面と異なる第二の面内で光源から放出された光から複数の第二の光束を取得し、該複数の第二の光束を前記対象に照明することを含むことを特徴とする請求項１７に記載の照明方法。
【請求項２０】
少なくとも一つの面内において、前記光源から放出された光を、該光の波長に対して分散させることをさらに含むことを特徴とする請求項１７乃至１９のいずれか一項に記載の照明方法。
【手続補正２】
【補正対象書類名】明細書
【補正対象項目名】０１３３
【補正方法】変更
【補正の内容】
【０１３３】
（４９）本発明の第八の実施形態は、画像を備えた原稿の画像を読み取り、画像が形成される媒体に、該原稿の画像を形成する画像形成装置であって、本発明の第六の実施形態である画像読取装置を含む。
【手続補正３】
【補正対象書類名】明細書
【補正対象項目名】０１３４
【補正方法】変更
【補正の内容】
【０１３４】
（５０）本発明の第九の実施形態は、画像を備えた原稿の画像を読み取り、画像が形成される媒体に、該原稿の画像を形成する画像形成方法であって、本発明の第七の画像読取方法を用いて、画像を備えた原稿の画像を読み取る。
【手続補正４】
【補正対象書類名】明細書
【補正対象項目名】０１３５
【補正方法】変更
【補正の内容】
【０１３５】
上記（２１）、（３４）、（４３）、（４７）、（４９）、（５０）の構成については、（ＬＥＤ、ＬＤ、フィラメント、蛍光灯及び放電灯のような）いずれの光源を用いても、照明の効率が、改善され、照明装置の投入電力を減少させることができる。
.
【手続補正５】
【補正対象書類名】明細書
【補正対象項目名】０１４０
【補正方法】変更
【補正の内容】
【０１４０】
上記（２２）〜（２５）、（２７）〜（２９）、（３２）〜（３３）、（３５）〜（４０）の構成については、照明の効率をさらに向上させることができる。
【手続補正６】
【補正対象書類名】明細書
【補正対象項目名】０２５７
【補正方法】変更
【補正の内容】
【０２５７】
［実施例１０］
実施例１０は、照射対象面における照度むらをより容易に低減することがきる、より高い光利用率を備えた画像読取装置を、図３１を参照して説明する。
【手続補正７】
【補正対象書類名】明細書
【補正対象項目名】０２６０
【補正方法】変更
【補正の内容】
【０２６０】
［実施例１１］
実施例１１は、より高い光利用を備えた照明系を、図３２を参照して説明する。
【手続補正８】
【補正対象書類名】明細書
【補正対象項目名】０２７８
【補正方法】変更
【補正の内容】
【０２７８】
［実施例１２］
実施例１２は、撮像領域（１１１）における画像が光束集束素子によって拡大又は縮小されない画像読取装置の例を、図３９Ａ及びＢ並びに図４０Ａ〜Ｄを参照して、説明する。光束集束素子が撮像領域（１１１）における画像を拡大又は縮小することを防止するためには、画像読取装置の主走査方向（７１）と直交する方向において、読取光軸及び照明光軸を分離する。
【手続補正９】
【補正対象書類名】明細書
【補正対象項目名】０２９２
【補正方法】変更
【補正の内容】
【０２９２】
［実施例１３］
実施例１３は、画像読取装置内に付着した塵又は埃によるフレアを低減することができる画像読取装置を、図４１を参照して、説明する。
【手続補正１０】
【補正対象書類名】明細書
【補正対象項目名】０２９８
【補正方法】変更
【補正の内容】
【０２９８】
［実施例１４］
実施例１４は、照明系から発散する発散光によって生じるフレアを低減することができる画像読取装置を、図４２及び図４３を参照して、説明する。
【手続補正１１】
【補正対象書類名】明細書
【補正対象項目名】０３０４
【補正方法】変更
【補正の内容】
【０３０４】
［実施例１５］
実施例１５は、本発明による、照明装置から放出される光束の発散度を抑制すると共に光利用率を向上させることができる照明系を、図４４Ａ、図４４Ｂ、及び図４４Ｃを参照して、説明する。
【手続補正１２】
【補正対象書類名】明細書
【補正対象項目名】０３０９
【補正方法】変更
【補正の内容】
【０３０９】
［実施例１６］
実施例１６は、本発明による、照明装置から放出される光束の発散度を抑制すると共に光利用率を向上させることができる別の照明系を、図４５Ａ、図４５Ｂ、及び図４５Ｃを参照して、説明する。
【手続補正１３】
【補正対象書類名】明細書
【補正対象項目名】０３１３
【補正方法】変更
【補正の内容】
【０３１３】
［実施例１７］
実施例１７は、本発明による、照明装置から放出される光束の発散度を抑制すると共に光利用率を向上させることができる別の照明系を、図４６Ａ及び図４６Ｂを参照して、説明する。
【手続補正１４】
【補正対象書類名】明細書
【補正対象項目名】０３１８
【補正方法】変更
【補正の内容】
【０３１８】
［実施例１８］
実施例１８は、光束集束素子としてミラーを用いる画像読取装置を、図４７及び図４８を参照して、説明する。
【手続補正１５】
【補正対象書類名】明細書
【補正対象項目名】０３２２
【補正方法】変更
【補正の内容】
【０３２２】
［実施例１９］
実施例１９は、本発明による、照明装置から放出される光束の発散度を抑制すると共に光利用率を向上させることができる別の照明系を、図４９及び図５０を参照して、説明する。
【手続補正１６】
【補正対象書類名】明細書
【補正対象項目名】０３２８
【補正方法】変更
【補正の内容】
【０３２８】
［実施例２０］
実施例２０は、プリズムを使用して、光利用率を向上させることができるカラー画像読取装置を、図５１〜図５４を参照して、説明する。
【手続補正１７】
【補正対象書類名】明細書
【補正対象項目名】０３３５
【補正方法】変更
【補正の内容】
【０３３５】
［実施例２１］
実施例２１は、光利用率を向上させることができるカラー画像読取装置を、図５５及び図５６を参照して、説明する。
【手続補正１８】
【補正対象書類名】明細書
【補正対象項目名】０３４６
【補正方法】変更
【補正の内容】
【０３４６】
［実施例２２］
実施例２２は、画像読取装置の主走査方向における照度分布を改善する照明系を、図５７及び図５８を参照して、説明する。
【手続補正１９】
【補正対象書類名】明細書
【補正対象項目名】０３４９
【補正方法】変更
【補正の内容】
【０３４９】
図５８の（ｉ）に示すように、主走査方向（７１）におけるライン状の撮像領域（１１１）に対して垂直に配置された結像レンズ（１０２）によって結像される像の明るさは、結像レンズ（１０２）の光軸方向からの角度θが増加するに従って減少してしまい、図５８の（ｉ）に示すように、結像レンズ（１０２）の光軸方向における明るさのｃｏｓ４θ倍となる。
【手続補正２０】
【補正対象書類名】明細書
【補正対象項目名】０３５４
【補正方法】変更
【補正の内容】
【０３５４】
［実施例２３］
実施例２３は、集光レンズを含まない照明系の例を、図５９を参照して、説明する。図５９は、本発明による、集光レンズを含まない照明系の例を説明する図である。前述の実施例における照明系は、集光レンズ（３）を含む。しかしながら、図５９に示すように、照明の効率が、低下しても、照明系に含まれる部品点数を減少させることが望まれる場合には、照明系から集光レンズ（３）を除去してもよい。図５９に示すように、集光レンズ（３）を含まない照明系においてもまた、光源（１）から放出される光束を、複数のレンズで構成される照明レンズ（５）によって照明対象面（９）に照明し、照明レンズ（５）に含まれる複数のレンズを通過する光束を、統合レンズ（７）によって、照明対象面（９）上で重畳させることができる。ここで、照明レンズ（５）を構成する複数のレンズは、光源（１）から放出される光束から複数の光束を取得し、それら複数の光束が照射対象面（９）上で部分的に重なり合うように、それら複数の光束を照射対象面（９）上に照射する作用を有する。
【手続補正２１】
【補正対象書類名】明細書
【補正対象項目名】０３５５
【補正方法】変更
【補正の内容】
【０３５５】
［実施例２４］
実施例２４は、統合レンズを含まない照明系の例を、図６０及び６１を参照して、説明する。図６０は、本発明による、統合レンズを含まない照明系の例を説明する図である。ここで、図６０（ａ）は、統合レンズを含まない照明系の上面図であり、図６０（ｂ）は、統合レンズを含まない照明系の正面図である。
【手続補正２２】
【補正対象書類名】明細書
【補正対象項目名】０３５９
【補正方法】変更
【補正の内容】
【０３５９】
さらに、この実施例でも実施例２３と同様に集光レンズ（３）を除去しても光利用効率が少し悪くはなるが本発明の本質を外すものではない。